(57)【要約】【課題】周囲の環境に応じて、より適切な画質調整処理が施された画像を表示することのできる視聴システム及びその制御方法を提供する。【解決手段】本発明の視聴システムは、画像表示装置と撮像装置とを有する視聴システムであって、撮像装置は、視聴者の側から画像表示装置の画面を撮像して撮影画像信号を生成する撮像手段と、撮像手段で生成された撮影画像信号から、画像表示装置の画面の領域を検出する検出手段と、画像表示装置に黒画像が表示されている期間の画面の領域の明るさを表す外光評価値を算出する算出手段と、を有し、画像表示装置は、入力された画像信号に基づく画像を表示する表示手段と、外光評価値によって表される明るさが基準の明るさより明るい場合に、表示手段で表示する画像の視認性を高める画質調整処理を入力された画像信号に施す処理手段と、を有する。【選択図】図１
2013048358.tif 000002
【特許請求の範囲】
【請求項１】
画像表示装置と撮像装置とを有する視聴システムであって、
前記撮像装置は、
視聴者の側から前記画像表示装置の画面を撮像して撮影画像信号を生成する撮像手段と、
前記撮像手段で生成された撮影画像信号から、前記画像表示装置の画面の領域を検出する検出手段と、
前記画像表示装置に黒画像が表示されている期間の前記画面の領域の明るさを表す外光評価値を算出する算出手段と、
前記算出手段で算出された前記外光評価値を送信する送信手段と、
を有し、
前記画像表示装置は、
入力された画像信号に基づく画像を表示する表示手段と、
前記送信手段で送信された前記外光評価値を受信する受信手段と、
前記受信手段で受信された前記外光評価値によって表される明るさが基準の明るさより明るい場合に、前記表示手段で表示する画像の視認性を高める画質調整処理を前記入力された画像信号に施す処理手段と、
を有する
ことを特徴とする視聴システム。
【請求項２】
前記処理手段は、前記受信手段で受信された前記外光評価値によって表される明るさが前記基準の明るさより明るい場合に、前記外光評価値によって表される明るさが明るいほど前記表示手段で表示する画像の視認性を高める
ことを特徴とする請求項１に記載の視聴システム。
【請求項３】
前記処理手段は、前記受信手段で受信された前記外光評価値によって表される明るさが前記基準の明るさより暗い場合に、前記表示手段で表示する画像の明るさを暗くする画質調整処理を前記入力された画像信号に施す
ことを特徴とする請求項１または２に記載の視聴システム。
【請求項４】
前記処理手段は、前記受信手段で受信された前記外光評価値によって表される明るさが前記基準の明るさより暗い場合に、前記外光評価値によって表される明るさが暗いほど前記表示手段で表示する画像の明るさを暗くする
ことを特徴とする請求項３に記載の視聴システム。
【請求項５】
前記算出手段は、
前記撮像手段で撮影される領域毎の重みを表し、前記画面の領域の重みが他の領域の重みよりも大きい重みテーブルを作成する作成手段と、
前記黒画像が表示されている期間の撮影画像信号と、前記重みテーブルとの積和演算を行うことにより、前記外光評価値を算出する積和演算手段と、
を有する
ことを特徴とする請求項１〜４のいずれか１項に記載の視聴システム。
【請求項６】
前記重みテーブルは、前記画面の領域の重みを最大値とし、該領域から離れるにつれて重みが小さくなるテーブルである
ことを特徴とする請求項５に記載の視聴システム。
【請求項７】
前記重みテーブルは、前記画面の領域の中心部の重みを最大値とし、該中心部から離れるにつれて重みが小さくなるテーブルである
ことを特徴とする請求項５に記載の視聴システム。
【請求項８】
前記画像表示装置は、両眼視差のある左目用画像と右目用画像を表示する立体画像表示装置であり、
前記撮像装置は、前記左目用画像と前記右目用画像を立体視するための眼鏡に設けられている
ことを特徴とする請求項１〜７のいずれか１項に記載の視聴システム。
【請求項９】
前記画像表示装置は、入力された複数の画像信号に基づく複数の画像を時分割表示する画像表示装置であり、
前記撮像装置は、前記複数の画像のうちの１つの画像を視聴するための眼鏡に設けられており、
前記処理手段は、前記受信手段で受信された前記外光評価値に基づいて、前記入力された複数の画像信号のうち、該外光評価値を算出した撮像装置が設けられている眼鏡を用いて視聴される画像の信号に、画質調整処理を施す
ことを特徴とする請求項１〜７のいずれか１項に記載の視聴システム。
【請求項１０】
前記表示手段は、入力された画像信号に基づく画像を、フレーム間に黒画像を挿入して表示し、
前記検出手段は、前記フレーム間に挿入された黒画像の表示タイミングに同期して明るさが変化している領域を前記画面の領域として検出する
ことを特徴とする請求項１〜９のいずれか１項に記載の視聴システム。
【請求項１１】
前記表示手段は、入力された画像信号に基づく画像を、フレーム間に黒画像を挿入して表示し、
前記黒画像が表示されている期間は、前記フレーム間に挿入された黒画像の表示期間である
ことを特徴とする請求項１〜１０のいずれか１項に記載の視聴システム。
【請求項１２】
画像表示装置と撮像装置とを有する視聴システムの制御方法であって、
前記撮像装置が、視聴者の側から前記画像表示装置の画面を撮像して撮影画像信号を生成する撮像ステップと、
前記撮像装置が、前記撮像ステップで生成された撮影画像信号から、前記画像表示装置の画面の領域を検出する検出ステップと、
前記撮像装置が、前記画像表示装置に黒画像が表示されている期間の前記画面の領域の明るさを表す外光評価値を算出する算出ステップと、
前記撮像装置が、前記算出ステップで算出された前記外光評価値を送信する送信ステップと、
前記画像表示装置が、入力された画像信号に基づく画像を表示する表示ステップと、
前記画像表示装置が、前記送信ステップで送信された前記外光評価値を受信する受信ステップと、
前記画像表示装置が、前記受信ステップで受信された前記外光評価値によって表される明るさが基準の明るさより明るい場合に、前記表示手段で表示する画像の視認性を高める画質調整処理を前記入力された画像信号に施す処理ステップと、
を有することを特徴とする視聴システムの制御方法。
【発明の詳細な説明】
【技術分野】
【０００１】
本発明は、視聴システム及びその制御方法に関する。
【背景技術】
【０００２】
近年、周囲の明るさを測定する受光素子を表示装置に搭載し、受光素子に入射される光の光量に基づいて、表示画像の画質を自動的に調整する機能が普及しつつある。
例えば、表示装置の周囲が暗い場合に画像の輝度を低く設定し、表示装置の周囲が明るい場合に画像の輝度を高く設定することで、画像を見やすくする技術がある（例えば特許文献１）。具体的には、表示装置の周囲が暗い場合に画像の輝度を低く設定することで、画像（画面）の眩しさが抑えられ、表示装置の周囲が明るい場合に画像の輝度を高く設定することで、画像の視認性が高められる。
しかし、これらの従来技術を用いたとしても、外光が画面に反射して画像が見えにくくなること、即ち、周囲の環境（視聴者の背景など）の映り込みによる画像の視認性の低下を抑制することはできなかった。
そこで、そのような問題を解決するための技術として、表示装置に設置した複数の撮像素子により、ユーザの位置と、画面に反射してユーザの目に入射すると思われる背景とを算出し、画質調整処理を行う技術が提案されている（例えば特許文献２）。
【先行技術文献】
【特許文献】
【０００３】
【特許文献１】特開２００９−８８６２６号公報
【特許文献２】特開２００９−３１３３７号公報
【発明の概要】
【発明が解決しようとする課題】
【０００４】
しかしながら、上述した従来の技術では、表示装置本体に複数の撮像素子を設ける必要があるため、表示装置本体のコストが増してしまう。
また、上述した従来の技術では、視聴者の目に入射する反射光や直接光が視聴をどの程度妨げているかを判断できないため、適切な画質調整処理を行うことができないことがある。
更に、上述した従来の技術では、複数の画像を表示し、複数の視聴者がそれぞれ異なる画像を視聴する場合に、それぞれの画像に対して適切な画質調整処理を行うことができないことがある。
【０００５】
本発明は、周囲の環境に応じて、より適切な画質調整処理が施された画像を表示することのできる視聴システム及びその制御方法を提供することを目的とする。
【課題を解決するための手段】
【０００６】
本発明の視聴システムは、
画像表示装置と撮像装置とを有する視聴システムであって、
前記撮像装置は、
視聴者の側から前記画像表示装置の画面を撮像して撮影画像信号を生成する撮像手段と、
前記撮像手段で生成された撮影画像信号から、前記画像表示装置の画面の領域を検出する検出手段と、
前記画像表示装置に黒画像が表示されている期間の前記画面の領域の明るさを表す外光評価値を算出する算出手段と、
前記算出手段で算出された前記外光評価値を送信する送信手段と、
を有し、
前記画像表示装置は、
入力された画像信号に基づく画像を表示する表示手段と、
前記送信手段で送信された前記外光評価値を受信する受信手段と、
前記受信手段で受信された前記外光評価値によって表される明るさが基準の明るさより明るい場合に、前記表示手段で表示する画像の視認性を高める画質調整処理を前記入力された画像信号に施す処理手段と、
を有する。
【０００７】
本発明の視聴システムの制御方法は、
画像表示装置と撮像装置とを有する視聴システムの制御方法であって、
前記撮像装置が、視聴者の側から前記画像表示装置の画面を撮像して撮影画像信号を生成する撮像ステップと、
前記撮像装置が、前記撮像ステップで生成された撮影画像信号から、前記画像表示装置の画面の領域を検出する検出ステップと、
前記撮像装置が、前記画像表示装置に黒画像が表示されている期間の前記画面の領域の明るさを表す外光評価値を算出する算出ステップと、
前記撮像装置が、前記算出ステップで算出された前記外光評価値を送信する送信ステップと、
前記画像表示装置が、入力された画像信号に基づく画像を表示する表示ステップと、
前記画像表示装置が、前記送信ステップで送信された前記外光評価値を受信する受信ステップと、
前記画像表示装置が、前記受信ステップで受信された前記外光評価値によって表される明るさが基準の明るさより明るい場合に、前記表示手段で表示する画像の視認性を高める画質調整処理を前記入力された画像信号に施す処理ステップと、
を有する。
【発明の効果】
【０００８】
本発明によれば、周囲の環境に応じて、より適切な画質調整処理が施された画像を表示することができる。
【図面の簡単な説明】
【０００９】
【図１】実施例１に係る視聴システムの機能構成の一例を示すブロック図
【図２】実施例１に係る視聴システムの通常の動作の一例を示すタイミングチャート
【図３】実施例１に係る画像表示装置の制御部の動作の一例を示すフローチャート
【図４】実施例１に係るシャッター式眼鏡の制御部の動作の一例を示すフローチャート
【図５】実施例１に係る信号処理部の機能構成の一例を示すブロック図
【図６】実施例１に係る信号処理部の処理内容の一例を示す図
【図７】実施例１に係る重みテーブルの一例を示す図
【図８】実施例１の効果の一例を示す図
【図９】実施例２に係る視聴システムの機能構成の一例を示すブロック図
【図１０】実施例２に係る視聴システムの通常の動作の一例を示すタイミングチャート
【図１１】実施例２に係る画像表示装置の制御部の動作の一例を示すフローチャート
【発明を実施するための形態】
【００１０】
＜実施例１＞
本発明の実施例１に係る視聴システム及びその制御方法について説明する。
図１は、本実施例に係る視聴システムの機能構成の一例を示すブロック図である。本実施例では、視聴システムが、シャッター式眼鏡を用いた、時分割３Ｄ画像視聴システムである場合の例について説明する。図１に示すように、本実施例に係る視聴システムは、画像表示装置１００と撮像装置（具体的には、撮像装置が設けられたシャッター式眼鏡２００）とを有する。画像表示装置１００は、両眼視差のある左目用画像と右目用画像を表示する立体画像表示装置（３Ｄ画像表示装置）である。シャッター式眼鏡２００は、左目用画像と右目用画像を立体視するための眼鏡である。
【００１１】
まず、画像表示装置１００について説明する。
入力部１０１は、入力された画像信号３００Ｉを、所望のフォーマットの画像信号に変換し、画像出力制御部１０２に出力する。また、入力部１０１は、入力された音声信号３００Ｓを、所望のフォーマットの音声信号に変換し、音声出力制御部１０４に出力する。ここで、画像信号は、左目用画像信号と右目用画像信号を含む立体画像信号である。
【００１２】
画像出力制御部１０２は、入力部１０１から出力された画像信号を、画質調整処理を施し、表示部１０３に出力する。
表示部１０３は、画像出力制御部１０２から出力された画像信号に基づく画像を表示する。
具体的には、画像出力制御部１０２から、左目用画像信号と右眼用画像信号が交互に出力される。そして、表示部１０３に、左目用画像信号に基づく画像（左目用画像）と右目用画像信号に基づく画像（右目用画像）が交互に表示される。
また、本実施例では、表示部１０３は、画像出力制御部１０２から出力された画像信号に基づく画像を、フレーム間に黒画像を挿入して表示する。即ち、本実施例では、左目用画像のフレームと右目用画像のフレームの間に黒画像が表示される。
【００１３】
音声出力制御部１０４は、入力部１０１から出力された音声信号を処理（例えば、デジタル音声信号をアナログ音声信号に変換するアナログ−デジタル変換など）し、スピーカー１０５に出力する。
スピーカー１０５は、音声出力制御部１０４から出力された音声信号を音に変換し、出力する。
【００１４】
送信部１０６は、制御部１０８から出力される以下の信号を、シャッター式眼鏡２００に送信する。
・シャッター制御信号
・外光評価値要求信号
・ブランキング（以下ＢＬＫ）信号
シャッター制御信号は、シャッター式眼鏡２００のシャッター駆動部２０６を制御するための信号である。
外光評価値要求信号は、シャッター式眼鏡２００に外光評価値を要求する信号である。外光評価値は、画像表示装置１００の周囲の環境を表す値である。具体的には、外光評価値は、画像表示装置１００の画面に黒画像を表示しているときの、視聴者から見た画面の明るさ（画面に反射した外光の明るさ）を表す。より具体的には、外光評価値は、画像表示装置１００の画面に黒画像が表示されている期間に後述する撮像部２０４で生成された撮影画像信号の、画像表示装置１００の画面の領域の明るさを表す。本実施例では、外光評価値は、画面の領域の明るさが明るいほど高くなるような値である。また、本実施例では、外光評価値は０〜１の値とする。詳しい算出方法は後述する。
ＢＬＫ信号は、表示部１０３に何も表示しない期間（黒画像を表示する期間）を示す信号である。本実施例では、ＢＬＫ信号は、フレーム間に挿入された黒画像を表示する期間を示す。
【００１５】
制御部１０８は、シャッター制御信号、外光評価値要求信号、ＢＬＫ信号を送信部１０６に送る。また、制御部１０８は、表示部１０３に表示する画像と同期を取るよう、音声出力制御部１０４からの音声信号の出力タイミングを調整する。また、制御部１０８は、受信部１０９が受信した外光評価値に基づいて、画像出力制御部１０２で実行する画質調整処理の処理強度（設定値）を設定する。
受信部１０９は、シャッター式眼鏡２００の送信部２０２から送信される、眼鏡のＯＮ／ＯＦＦ情報、及び、外光評価値を受信し、制御部１０８に送る。
【００１６】
次に、シャッター式眼鏡２００について説明する。
受信部２０１は、画像表示装置１００の送信部１０６から出力された信号を受信する。受信部２０１で受信されたシャッター制御信号は、制御部２０５に送られる。
送信部２０２は、制御部２０５から出力された外光評価値を画像表示装置１００に送信する。
撮像部２０４は、視聴者の側から画像表示装置１００の画面を撮像して撮影画像信号を生成する。具体的には、撮像部２０４は、シャッター式眼鏡２００のレンズ近傍に、視聴者の目線方向を撮影するように設置されている。そして、撮像部２０４は、生成した撮影画像信号を信号処理部２０８に出力する。撮像部２０４は、例えば、シャッター式眼鏡２００を使って画像表示装置１００に表示されている画像を視聴する視聴者の目線方向を撮影するように、設置されている。
【００１７】
制御部２０５は、シャッター式眼鏡２００の全体制御を行なう。制御部２０５は、画像表示装置１００から受信したＢＬＫ信号をデコードし、信号処理部２０８に出力する。制御部２０５は、画像表示装置１００から受信した外光評価値要求信号を信号処理部２０８に出力する。制御部２０５は、画像表示装置１００から受信したシャッター制御信号をシャッター駆動部２０６に出力する。
シャッター駆動部２０６は、制御部２０５からのシャッター制御信号に従い、シャッター部２０７に駆動信号を出力する。それにより、シャッター制御信号に従って、シャッター部２０７が駆動される。
シャッター部２０７は、シャッター駆動部２０６からの駆動信号に応じて、シャッター式眼鏡２００のレンズに設けられたシャッターを開閉する。それにより、画像表示装置１００の表示に同期して、シャッター式眼鏡２００のレンズに設けられたシャッターが開閉される。
信号処理部２０８は、撮像部２０４で生成された撮影画像信号から、画像表示装置１００の画面の領域を検出する。また、信号処理部２０８は、外光評価値を算出する。信号処理部２０８の機能の詳細は、図５を用いて後述する。
操作入力部２０９は、シャッター式眼鏡２００の電源のＯＮ／ＯＦＦを切り替える電源ボタンである。
なお、上述した機能のうち、外光評価値を算出し、画像表示装置１００へ装置するために必要な機能（本実施例では、受信部２０１、送信部２０２、撮像部２０４、制御部２０５、および、信号処理部２０８）が撮像装置の機能である。
【００１８】
図２は、立体画像（３Ｄ画像）を視聴する際の、視聴システムの通常の動作の一例を示すタイミングチャートである。図２は、フレームレート６０Ｈｚの画像を視聴する場合の例である。図中、表示画像は、画像表示装置１００が表示する画像を示す。図２に示すように、１枚の左目用画像と１枚の右目用画像の組を１フレームとして、左目用画像と右目用画像が交互に表示される。そのため、表示部１０３は、１２０Ｈｚで、左目用画像と右目用画像を交互に表示する。
画像表示装置１００の送信部１０６は、表示部１０３での画像の表示に同期して、シャッター制御信号を出力する。
シャッター式眼鏡２００のレンズに設けられたシャッターは、受信部２０１で受信され
たシャッター制御信号に従って開閉される。具体的には、図２に示すように、画像表示装置１００が左目用画像を表示している時には、左目レンズ（左目側のレンズ）のシャッターが開かれ、右目レンズ（右目側のレンズ）のシャッターが閉じられる。画像表示装置１００が右目用画像を表示している時には、右目レンズのシャッターが開かれ、左目レンズのシャッターが閉じられる。それにより、左目用画像が左目に入力され、右目用画像が右目に入力され、視聴者は左目用画像と右目用画像を立体視することができる。シャッターは、例えば、液晶を用いて、駆動信号のＯＮ／ＯＦＦにより光の透過／遮断を制御することにより実現される。
なお、シャッターの開閉の切り替えには、時間を要する。そこで、本実施例では、シャッターの開閉を切り替えている期間に望ましくない画像がレンズを透過するのを抑制するために、左目用画像のフレームと右目用画像のフレームの間に黒画像を表示する。具体的には、左目レンズのシャッターを開いた状態から閉じた状態へ切り替えている間に右目用画像を表示してしまうと、右目用画像が左目レンズを透過してしまう。本実施例では、このような望ましくない画像の透過を抑制するために、フレーム間に黒画像を表示する。
【００１９】
次に、外光評価値を算出し、画質調整処理を行う際の、本実施例に係る視聴システムの動作について、図３、図４のフローチャートを用いて説明する。
図３は、画像表示装置１００の制御部１０８の動作フローチャートである。
このフローは、制御部１０８のメインループの一部であっても良いし、タイマー割り込みなどで呼び出されても良い。
ステップＳ１０１では、制御部１０８が、外光評価値要求信号を送信部１０６へ出力する。それにより、外光評価値要求信号が、送信部１０６からシャッター式眼鏡２００へ送信される。
ステップＳ１０２では、制御部１０８が、シャッター式眼鏡２００から送信され、受信部１０９で受信された外光評価値を取得する。
ステップＳ１０３では、制御部１０８が、Ｓ１０２で取得した外光評価値によって表される明るさが基準の明るさより明るいか否かを判定する。具体的には、制御部１０８は、Ｓ１０２で取得した外光評価値が基準値より大きいか否かを判定する。
基準の明るさは、例えば、標準的な視聴環境下で黒画像を表示しているときの、視聴者から見た画面の明るさであり、基準値は、そのような明るさを表す値（標準的な視聴環境下で算出された外光評価値）である。基準の明るさは、予め定められた明るさであってもよいし、時刻や視聴者の年齢などに基づいて決定された明るさであってもよい。同様に、基準値は、予め定められた値であってもよいし、時刻や視聴者の年齢などを用いて算出された値であってもよい。本実施例では、基準値を０．４とする。
【００２０】
外光評価値が基準値より大きい場合には（Ｓ１０３：ＹＥＳ）、制御部１０８は、画像表示装置１００の周囲が過度に明るい、または、画像表示装置１００の周囲の環境が画面に映り込んでおり、画像の視認性が低下していると判断する。そして、制御部１０８は、ステップＳ１０４で、画質調整処理の設定値の初期値（複数の画質調整処理が行われる場合、各画質調整処理の設定値の初期値）に対し、
（ＭＡＸ値−初期値）×（外光評価値−基準値）÷（１−基準値）・・・（１）
を加算する。そして、画像出力制御部１０２に、表示部１０３で表示する画像の視認性を高める画質調整処理を行わせる。ここで、ＭＡＸ値は、設定値の最大値である。
具体的には、制御部１０８は、調整後の設定値を画像出力制御部１０２へ送信する。それにより、画像出力制御部１０２では、入力部１０１から出力された画像信号に、上記送信された設定値を用いた画質調整処理が施され、該画質調整処理が施された画像信号が出力される。画質調整処理は、例えば、輝度調整処理、コントラスト調整処理、エッジ強調処理、黒伸張処理である。設定値は、画質調整処理の強度を表す。具体的には、画質調整処理が輝度調整処理の場合、設定値が大きいほど輝度が高められる。画質調整処理がコントラスト調整処理の場合、設定値が大きいほどコントラストが高められる。画質調整処理
がエッジ強調処理の場合、設定値が大きいほどエッジが強調される。画質調整処理が黒伸長処理の場合、設定値が大きいほど暗部（低階調部分）の階調性が高められる。設定値の初期値に上記式（１）により得られる値を加算すれば、調整後の設定値の値は初期値よりも大きくなる。そのような設定値（初期値よりも大きい設定値）を用いることで、画像信号に、表示する画像の視認性を高める画質調整処理が施される。
なお、設定値の初期値は、所定の画質調整処理が行われるような値であってもよいし、画質調整処理が行われないような値（画質調整処理前後の画素値が同じとなるような値）であってもよい。
また、外光評価値が大きいほど、上記式（１）により得られる値は大きくなり、設定値の初期値に上記式（１）により得られる値を加算した値は大きくなる。そのため、本実施例では、外光評価値が基準値より大きい場合に、外光評価値が大きいほど（即ち、外光評価値によって表される明るさが明るいほど）表示部１０３で表示する画像の視認性が高められる。
【００２１】
外光評価値が基準値以下の場合には（Ｓ１０３：ＮＯ）、制御部１０８は、画像表示装置１００の周囲が過度に暗く、画像が明るすぎる（視聴者が画像を眩しく感じている）と判断する。そして、制御部１０８は、ステップＳ１０５で、画質調整処理の設定値の初期値から、
初期値−初期値×外光評価値÷基準値・・・（２）
を減算する。そして、画像出力制御部１０２に、表示部１０３で表示する画像の明るさを暗くする画質調整処理を行わせる。
具体的には、制御部１０８は、調整後の設定値を画像出力制御部１０２へ送信する。それにより、画像出力制御部１０２では、入力部１０１から出力された画像信号に、上記送信された設定値を用いた画質調整処理が施され、該画質調整処理が施された画像信号が出力される。外光評価値が基準値より小さい場合、設定値の初期値から上記式（２）により得られる値を減算すれば、調整後の設定値の値は初期値よりも小さくなる。そのような設定値（初期値よりも小さい設定値）を用いることで、画像信号に、表示する画像の明るさを暗くする画質調整処理が施される。
また、外光評価値が小さいほど、上記式（２）により得られる値は大きくなり、設定値の初期値から上記式（２）により得られる値を減算した値は小さくなる。そのため、本実施例では、外光評価値が基準値より小さい場合に、外光評価値が小さいほど（即ち、外光評価値によって表される明るさが暗いほど）表示部１０３で表示する画像の明るさが暗くされる。
【００２２】
なお、外光評価値と基準値が等しい場合、画像表示装置１００の周囲の明るさは適切であると考えられる。そのため、そのような場合には、設定値の初期値を用いた画質調整処理を行うことが望ましい。本実施例では、外光評価値と基準値が等しい場合、式（２）により得られる値は０となり、設定値は初期値のままとされる。それにより、画像表示装置１００の周囲の明るさが適切である場合に、画像出力制御部１０２に、設定値の初期値を用いた画質調整処理を行わせることができる。
なお、本実施例では、外光評価値が基準値以下の場合に、画像表示装置１００の周囲が過度に暗いと判断されるものとしたが、これに限らない。上述したように、外光評価値と基準値が等しい場合、画像表示装置１００の周囲の明るさは適切であると考えられる。そのため、外光評価値が基準値と等しい場合に、画像表示装置１００の周囲の明るさが適切であると判断され、外光評価値が基準値より小さい場合に、画像表示装置１００の周囲の明るさが過度に暗いと判断されてもよい。画像表示装置１００の周囲の明るさが適切であると判断された場合には、設定値の調整（上記式（２）を用いた計算）は行わなくてもよい。画像表示装置１００の周囲の明るさが適切であると判断された場合に、制御部１０８が画像出力制御部１０２に画質調整処理を行わないように指示する構成であってもよい。
【００２３】
図４は、シャッター式眼鏡２００の制御部２０５の動作フローチャートである。
このフローは、画像表示装置１００から受信した制御コマンドが、ステップＳ１０１で送信された外光評価値要求だった場合に実行される。
ステップＳ２０１では、制御部２０５が、受信部２０１で受信された外光評価値要求を取得し、撮像部２０４に対し、撮影コマンドを送信する。撮像部２０４は、撮影コマンドの受信に応じて、撮影を開始し、撮影画像信号を生成する。
ステップＳ２０２では、制御部２０５が、撮像部２０４で生成された撮影画像信号から画像表示装置１００の画面の領域が検出されたか否かを判断する。
【００２４】
画面の領域が検出された場合には（Ｓ２０２：ＹＥＳ）、ステップＳ２０３で、制御部２０５が、後述する重みテーブルを更新する。そして、ステップＳ２０５で、制御部２０５が、信号処理部２０８に外光評価値の算出を指示する。それにより、信号処理部２０８で外光評価値が算出され、該算出された外光評価値が制御部２０５に入力される。
画面の領域が検出されなかった場合には（Ｓ２０２：ＮＯ）、ステップＳ２０４で、制御部２０５が、設定値を変更しない（初期値のままとする）ために、上記基準値を外光評価値に代入する。
ステップＳ２０６では、制御部２０５が、送信部２０２に、ステップＳ２０５、またはステップＳ２０４で取得した外光評価値を送信し、処理を終了する。送信部２０２は、受信した外光評価値を画像表示装置１００へ送信する。
【００２５】
次に、シャッター式眼鏡２００の信号処理部２０８の機能構成の一例を、図５と図６を用いて説明する。
画面領域検出回路４００には、撮像部２０４から出力された撮像画像信号、及び、受信部２０１で受信し、制御部２０５でデコードされた、ＢＬＫ信号が入力される。ＢＬＫ信号は、図２に示す左目用画像と右目用画像の間に挿入された黒画像（画面全体が黒の画像）の表示タイミングと同期して出力される。
画面領域検出回路４００では、撮像画像信号から、画像表示装置の画面の領域が検出される。具体的には、フレーム間に挿入された黒画像の表示タイミングに同期して明るさが変化している領域、即ち、ＢＬＫ信号と同期して点滅している領域が画面の領域として検出される。そして、画面領域検出回路４００は、画面の領域の検出結果（画面の領域を表す画面領域情報４１０）を出力する（図６のａ）。上述したステップＳ２０２では、画面領域情報４１０を用いて、画像表示装置１００の画面の領域が検出されたか否かが判断される。
【００２６】
重みテーブル生成回路４０１では、画面領域情報４１０を用いて、重みテーブル４１２が生成（作成）される（図６のｂ）。重みテーブル４１２は、撮像部２０４で撮像される領域毎の重みを表し、上記画面の領域の重みが他の領域の重みよりも大きいテーブルである。本実施例では、重みテーブル４１２は、画面の領域の重みを最大値とし、該領域から離れるにつれて重みが小さくなるテーブル（二次元テーブル）である。図６の例では、重みが大きいほど白に近い色で重みを表現している。
図７に重みテーブルの一例を示す。図７は、１６×１６の画素で構成される撮像素子において、水平方向の座標が０４ｈ〜０Ｂｈ、垂直方向の座標が０４ｖ〜０Ｂｖの領域が画面の領域である場合の例である。図７の例では、画面の領域内の重みは全て１．０とされ、画面の領域から１画素離れるに従い重みが０．２減少されるテーブルデータとなっている。
【００２７】
論理回路４０２では、ＢＬＫ信号を用いて、撮影画像信号から、黒画像が表示されている期間（ＢＬＫ期間）の撮影画像信号４１１（図６のｃ）が抽出され、後段へ出力される。ＢＬＫ期間の撮影画像信号４１１は、画面に何も表示されていないときに、画面に反射して視聴者の目に入射する外光を表す。
そして、乗算器４０３と加算部４０４では、ＢＬＫ期間中の撮影画像信号４１１と、重みテーブル４１２と、の積和演算が行われる。具体的には、乗算器４０３では、画素毎に、ＢＬＫ期間中の撮影画像信号４１１と、重みテーブル４１２の重みとの積算が行われる（図６のｄ）。そして、加算部４０４では、画素毎の上記積算の結果４１３の累計値４１５が算出される。
最大値算出部４０５では、累計値４１５の最大値４１４が算出される。具体的には、画素毎に、撮像画像信号の最大階調値と、重みテーブル４１２の重みとの積算が行われる。そして、画素毎の上記積算の結果の累計値が、最大値４１４として算出される。
除算部４０６では、累計値４１５を最大値４１４で除算する。それにより、最大値を１とする外光評価値４１６が算出される。
【００２８】
その結果、画像表示装置１００の画面に黒画像を表示している期間の画面の領域の明るさが明るいほど高い値となるように、外光評価値を算出することができる。また、画面の周囲の領域が明るいほど高い値となるように、外光評価値を算出することができる。
【００２９】
図８は、本実施例の効果の一例を示す図である。
図８の例では、画面に反射した外光がシャッター式眼鏡２００に入射しており、映り込みによる画像の視認性の低下が生じている。しかし、本実施例では、撮像部２０４により、上記反射して視聴者の目に入る外光（外光の明るさ）が検出される。上記反射して視聴者の目に入る外光の明るさ（黒画像が表示されている期間の画面の領域内の明るさ）を表す外光評価値が算出される。外光評価値によって表される明るさと基準の明るさを比較することにより、映り込みによる画像の視認性の低下が生じているか否かが判断される。そして、外光評価値によって表される明るさが基準の明るさより明るい場合に、映り込みによる画像の視認性の低下が生じていると判断され、画像の視認性を高める画質調整処理が行われる。それにより、映り込みによる画像の視認性の低下をより正確に抑制することができる。
【００３０】
以上述べたように、本実施例によれば、視聴者の側から画像表示装置の画面を撮像することにより、視聴者の目に入射された光を表す撮影画像信号が生成される。そして、該撮影画像信号を用いて算出された外光評価値に基づいて画質調整処理を行うことにより、周囲の環境に応じて、より適切な画質調整処理が施された画像を表示することができる。具体的には、本実施例では、画像表示装置に黒画像が表示されている期間の画面の領域の明るさ（反射して視聴者の目に入る外光）を表す外光評価値が算出される。そして、外光評価値によって表される明るさが基準の明るさより明るい場合に、表示する画像の視認性を高める画質調整処理が画像信号に施される。それにより、画質調整処理により、映り込みによる画像の視認性の低下を従来よりも正確に抑制することができる。
【００３１】
また、外光評価値によって表される明るさが基準の明るさより明るい場合には、外光評価値によって表される明るさが明るいほど視認性が低下していると考えられる。本実施例によれば、外光評価値によって表される明るさが基準の明るさより明るい場合に、外光評価値によって表される明るさが明るいほど表示する画像の視認性が高められる。それにより、画像の視認性の低下をより正確に抑制することが可能となる。
【００３２】
また、外光評価値によって表される明るさが基準の明るさより暗い場合には、画像表示装置の周囲が暗く、視聴者が画像を眩しく感じている可能性が高い。本実施例によれば、外光評価値によって表される明るさが基準の明るさより暗い場合に、表示する画像の明るさを暗くする画質調整処理が画像信号に施される。それにより、画像の眩しさを抑えることができる。
また、外光評価値によって表される明るさが基準の明るさより暗い場合には、外光評価値によって表される明るさが暗いほど視聴者は画像を眩しく感じると考えられる。本実施
例によれば、外光評価値によって表される明るさが基準の明るさより暗い場合に、外光評価値によって表される明るさ暗いほど表示する画像の明るさが暗くされる。それにより、画像の眩しさをより正確に抑えることができる。
【００３３】
また、画面に反射した光が視聴者の目に入らなくても、画像表示装置の周囲が過度に明るい場合には、画像の視認性は低下してしまう。本実施例によれば、撮像部で撮像される領域のうち、画面以外（画像表示装置の周囲）の領域の明るさを考慮して外光評価値が算出される。具体的には、画面の領域の重みを最大値とし、該領域から離れるにつれて重みが小さくなる重みテーブルと、黒画像が表示されている期間の撮影画像信号との積和演算を行うことにより、外光評価値が算出される。それにより、画像表示装置の周囲が過度に明るいことによる、画像の視認性の低下を抑制することができる。
【００３４】
なお、本実施例では、黒画像の表示タイミングに基づいて、画面の領域を検出する構成としたが、画面の領域の検出方法は、これに限らない。例えば、認識技術などを用いて画面の領域が検出されてもよい。
なお、本実施例では、黒画像が、画像表示装置に入力された画像のフレーム間に表示される構成としたが、黒画像の表示タイミング及び表示期間はこれに限らない。例えば、画像表示装置に入力された画像の表示を開始する前に、外光評価値を算出するために黒画像が所定時間だけ表示されてもよい。
なお、本実施例では、外光評価値が、画面の領域の明るさが明るいほど高くなるような値であるものとしたが、外光評価値はこれに限らない。外光評価値は、黒画像が表示されている期間の画面の領域の明るさを表す値であればどのような値であってもよい。例えば、外光評価値は、画面の領域の明るさが明るいほど低くなるような値であってもよい。そのような場合には、外光評価値が基準値より小さいときに画像の視認性が高められればよい。そして、外光評価値が基準値より大きいときに画像の明るさが暗くされればよい。
【００３５】
なお、本実施例では、画面の領域から離れるに従って、重みテーブルの重みが線形的に減少する例を示したが、これに限らない。例えば、画面の領域から離れるに従って、重みテーブルの重みが非線形に減少してもよい。
なお、本実施例では、重みテーブルが、画面の領域の重みを最大値とし、該領域から離れるにつれて重みが小さくなるテーブルであるものとしたが、重みテーブルはこれに限らない。例えば、重みテーブルは、画面の領域の中心部の重みを最大値とし、該中心部から離れるにつれて重みが小さくなるテーブルであってもよい。視聴者は画面の中心部を特に注目している可能性が高いため、画面の中心部での映り込みは、画像の視聴を大きく妨害する。画面の領域の中心部の重みを最大値とし、該中心部から離れるにつれて重みが小さくなる重みテーブルを用いれば、そのような妨害を抑制することができる。また、重みテーブルは、画面の領域や画面の中心部の領域にのみ値を有し、それ以外の領域では重みが０となるテーブルであってもよい。そのようなテーブルを用いた場合であっても、映り込みによる画像の視認性の低下を従来よりも正確に抑制することができる。
【００３６】
なお、本実施例では、外光評価値要求が受信された場合に外光評価値の算出、送信が行われるものとしたが、これに限らない。例えば、シャッター式眼鏡が定期的に外光評価値の算出、送信を行ってもよい。そして、画像表示装置では、外光評価値が入力されるたびに、設定値の変更が行われてもよい。
なお、本実施例では、視聴システムが時分割３Ｄ画像視聴システムであり、シャッター式眼鏡が外光評価値を算出する構成としたが、この構成に限らない。画像表示装置は、３Ｄ画像表示装置に限らず、３Ｄ画像を表示する機能を有さない２Ｄ画像表示装置であってもよい。撮像装置は、シャッター式眼鏡に設けられていなくてもよい。例えば、撮像装置は、視聴者が身に着けるものでなくてもよい。撮像装置は、視聴者の隣や背後から、画像表示装置の画面を撮像するように設置される装置であってもよい。
【００３７】
なお、本実施例では、画像表示装置がフレームシーケンシャル方式の立体画像表示装置である場合について説明したが、立体画像の表示方式はフレームシーケンシャル方式に限らない。立体画像の表示方式は、偏光表示方式であってもよい。その場合には、シャッター式眼鏡の代わりに偏光フィルタ眼鏡が使用される。偏光フィルタ眼鏡は、左目レンズに、左目用画像を透過し、右目用画像を遮蔽する偏光フィルタが設けられ、右目レンズに、右目用画像を透過し、左目用画像を遮蔽する偏光フィルタが設けられた眼鏡である。偏光フィルタ眼鏡を用いることにより、左目用画像と右目用画像を立体視することができる。
なお、本実施例では、式（１），（２）を用いて設定値が調整される構成としたが、設定値や画質調整処理の調整方法はこれに限らない。外光評価値によって表される明るさが基準の明るさより明るい場合に、表示する画像の視認性が高められるように画質調整処理が調整されれば、どのように調整されてもよい。また、外光評価値によって表される明るさが基準の明るさより暗い場合に、表示する画像の明るさが暗くされるように画質調整処理が調整されれば、どのように調整されてもよい。
【００３８】
＜実施例２＞
本発明の実施例２に係る視聴システム及びその制御方法について説明する。
図９は、本実施例に係る視聴システムの機能構成の一例を示すブロック図である。本実施例では、視聴システムが、シャッター式眼鏡を用いた、複数人視聴システムである場合の例について説明する。図９に示すように、本実施例に係る視聴システムは、画像表示装置５００と複数の撮像装置（具体的には、撮像装置が設けられたシャッター式眼鏡６００ａ，６００ｂ）とを有する。画像表示装置５００は、入力された複数の画像信号に基づく複数の画像を時分割表示する画像表示装置である。シャッター式眼鏡は、上記複数の画像のうちの１つの画像を視聴するための眼鏡である。
なお、本実施例では、同時に視聴可能なコンテンツ数（画像数）と視聴者の人数を２としたが、それらの数はこれに限らない。例えば、それらの数は、３，５，１０などであってもよい。
【００３９】
まず、画像表示装置５００について説明する。
画像表示装置５００は、シャッター式眼鏡６００ａ，６００ｂから受信した眼鏡のＯＮ／ＯＦＦ情報等により、同時に表示するコンテンツ数、及び、フレームレートを決定する。そして、複数の外部入力信号端子から入力された複数のコンテンツの画像信号、複数のコンテンツの音声信号を、それぞれ、時分割多重化する。本実施例では、第１コンテンツと第２コンテンツの画像信号と音声信号が入力されるものとする。そのため、第１コンテンツの画像信号７０１Ｉと第２コンテンツの画像信号７０２Ｉ、第１コンテンツの音声信号７０１Ｓと第２コンテンツの音声信号７０２Ｓが、それぞれ、時分割多重化される。
【００４０】
入力処理部５０１ａは、入力された画像信号７０１Ｉを、所望のフォーマットの画像信号に変換し、メモリ５０２に出力する。また、入力処理部５０１ａは、入力された音声信号７０１Ｓを、所望のフォーマットの音声信号に変換し、メモリ５０２に出力する。所望のフォーマットは、例えば、ＬＶＤＳ等である。
入力処理部５０１ｂは、入力された画像信号７０２Ｉを、所望のフォーマットの画像信号に変換し、メモリ５０２に出力する。また、入力処理部５０１ｂは、入力された音声信号７０２Ｓを、所望のフォーマットの音声信号に変換し、メモリ５０２に出力する。
メモリ５０２は、入力処理部５０１ａ，５０１ｂから出力される信号を時分割多重化するための一時バッファとして機能する。
【００４１】
画像時分割出力処理部５０３は、メモリ５０２に蓄積された画像信号を同時視聴する視聴者の数に応じたレートで読出し、画質調整処理を施して、表示部５０４に出力する。例えば、通常視聴時（１つのコンテンツを１人が視聴する場合）に画像信号が６０Ｈｚで読
み出される場合、２つのコンテンツを２人の視聴者が視聴する場合には、該２つのコンテンツの画像信号が、通常視聴時の倍の１２０Ｈｚで交互に読み出される。
表示部５０４は、画像時分割出力処理部５０３から出力された画像信号に基づく画像を表示する。
【００４２】
受信部５０５は、シャッター式眼鏡６００ａ，６００ｂの送信部６０２から無線または有線で送信される眼鏡のＯＮ／ＯＦＦ情報、及び、外光評価値を受信し、制御部５０８に送る。
音声符号部５０６は、メモリ５０２から音声信号を読み出す。そして、音声符号部５０６は、読み出した音声信号を、シャッター式眼鏡６００ａ，６００ｂの識別データを付加して、送信部５０７へ送信する。具体的には、音声符号部５０６は、画像時分割出力処理部５０３で読み出された画像信号（即ち、表示部５０４で表示された画像）に対応する音声信号を読み出す。そして、音声符号部５０６は、読み出した音声信号を、該音声信号に対応するシャッター式眼鏡の識別データを付加する。本実施例では、シャッター式眼鏡６００ａを用いて第１コンテンツが視聴され、シャッター式眼鏡６００ｂを用いて第２コンテンツが視聴されるものとする。そのため、第１コンテンツの音声信号が読み出された場合には、該音声信号にシャッター式眼鏡６００ａの識別データが付加される。
なお、音声信号は、送信部５０７によりシャッター式眼鏡６００ａ，６００ｂへ送信される。そして、音声信号は、シャッター式眼鏡のヘッドホン６１１で音に変換されて出力される。
【００４３】
送信部５０７は、以下の信号を、シャッター式眼鏡６００ａ，６００ｂに送信する。
・識別データ
・シャッター制御信号
・外光評価値要求信号
・ＢＬＫ信号
・音声信号
識別データは、送信する音声信号に対応するシャッター式眼鏡の識別データである。
シャッター制御信号は、シャッター式眼鏡６００ａ，６００ｂのシャッター駆動部６０６を制御するための信号である。
外光評価値要求信号は、シャッター式眼鏡６００ａ，６００ｂに外光評価値を要求する信号である。外光評価値の定義は、実施例１と同様のため、説明を省略する。
ＢＬＫ信号は、表示部５０４に何も表示しない期間（黒画像を表示する期間）を示す信号である。本実施例では、ＢＬＫ信号は、フレーム間に挿入された黒画像を表示する期間を示す。
【００４４】
制御部５０８は、シャッター制御信号、外光評価値要求信号、ＢＬＫ信号を送信部５０７に送る。また、制御部５０８は、表示部５０４に表示する画像と同期を取るよう、音声符号部５０６による音声信号の読み出しおよび出力のタイミングを調整する。
また、制御部５０８は、受信部５０５がシャッター式眼鏡６００ａ，６００ｂから受信した外光評価値に基づき、画像時分割出力処理部５０３で実行する画質調整処理の設定値を設定する。具体的には、受信した外光評価値には、送信元のシャッター式眼鏡のＩＤデータが付加されている。制御部５０８は、受信した外光評価値に基づいて、該外光評価値を算出したシャッター式眼鏡を用いて視聴される画像に施す画質調整処理の設定値を設定する。それにより、画像時分割出力処理部５０３では、受信された外光評価値に基づいて、複数の画像信号（複数のコンテンツ）のうち、該外光評価値を算出した撮像装置が設けられている眼鏡を用いて視聴される画像の信号に、画質調整処理が施される。
【００４５】
次に、シャッター式眼鏡６００ａについて説明する。シャッター式眼鏡６００ｂの構成はシャッター式眼鏡６００ｂと同様のため、その説明は省略する。
受信部６０１は、画像表示装置５００の送信部５０７から出力された信号を受信する。受信部６０１で受信されたシャッター制御信号と音声信号は、制御部６０５に送られる。
送信部６０２は、制御部６０５から出力されたＯＮ／ＯＦＦ情報や外光評価値を、ＩＤデータを付加して画像表示装置５００に送信する。
撮像部６０４は、実施例１における撮像部２０４と同じ機能を有する。
制御部６０５は、実施例１における制御部２０５と同じ機能を有する。また、制御部６０５は、シャッター式眼鏡６００ａの電源がＯＮされた際に、電源がＯＮされたことを示すＯＮ／ＯＦＦ情報を送信部６０２へ出力する。制御部６０５は、シャッター式眼鏡６００ａの電源がＯＦＦされた際に、電源がＯＦＦされたことを示すＯＮ／ＯＦＦ情報を送信部６０２へ出力する。制御部６０５は、受信部６０１から送信された音声信号を音声復号部６１０へ送る。
シャッター駆動部６０６は、実施例１におけるシャッター駆動部２０６と同じ機能を有する。
シャッター部６０７は、実施例１におけるシャッター部２０７と同じ機能を有する。
信号処理部６０８は、実施例１における信号処理部２０８と同じ機能を有する。
操作入力部６０９は、シャッター式眼鏡６００ａの電源のＯＮ／ＯＦＦを切り替える電源ボタン、及び、音声のボリューム調整を行なうためのボリュームボタンである。
音声復号部６１０は、制御部６０５から送信された音声信号（符号化された音声データ）をアナログ音声信号に復号する。音声復号部６１０は、視聴者による操作入力部６０９（ボリュームボタン）の操作に応じてアナログ音声信号のボリュームを調整する。
ヘッドホン６１１は、音声復号部６１０から出力されるアナログ音声信号を音に変換して出力する。
【００４６】
図１０は、視聴システムの通常の動作の一例を示すタイミングチャートである。図１０は、視聴人数、コンテンツ数ともに２の場合の例である。図１０は、フレームレート６０Ｈｚの画像（コンテンツ）を視聴する場合の例である。
図中、表示画像は、画像表示装置５００（表示部５０４）が表示する画像を示す。制御部５０８の制御により、画像時分割出力処理部５０３は、メモリ５０２から、図１０の表示画像に示す順番で画像信号を読み出し、表示部５０４に出力する。それにより、図１０に示すように、表示部５０４には、１２０Ｈｚで、第１コンテンツの画像（図中、Ａ１，Ａ２・・・で示される画像）と第２コンテンツの画像（図中、Ｂ１，Ｂ２・・・で示される画像）が交互に表示される。それにより、第１コンテンツの画像と第２コンテンツの画像が、それぞれ、フレームレート６０Ｈｚで表示される。
また、図中、同期信号は、ＩＤデータと時間方向に圧縮された音声信号とを含む信号である。同期信号は、画像表示装置５００からシャッター式眼鏡６００ａ，６００ｂに出力される。図１０に示すように、ＩＤデータ、該ＩＤデータのシャッター式眼鏡で視聴されるコンテンツの音声信号の順に、ＩＤデータと音声信号が出力される。また、音声信号は、該音声信号に対応する画像の表示タイミングと同期して出力される。図１０では、シャッター式眼鏡６００ａ用の同期信号（ＩＤデータと音声信号）に符号Ａが付されており、シャッター式眼鏡６００ｂ用の同期信号に符号Ｂが付されている。
【００４７】
シャッター式眼鏡６００ａの制御部６０５は、受信部６０１より受信したＩＤデータが、自身のＩＤデータと合致しているか否かを判断する。そして、合致している場合には、制御部６０５は、シャッター（両目のシャッター）が開かれるように、シャッター駆動部６０６を制御する。合致している場合には、制御部６０５は、シャッターが閉じられるように、シャッター駆動部６０６を制御する。
その結果、図１０に示すように、シャッター式眼鏡６００ａのシャッターは、第１コンテンツの画像Ａ１，Ａ２，Ａ３・・・が表示されている期間に開かれ、それ以外の期間に閉じられる。それにより、シャッター式眼鏡６００ａを装着した視聴者は、第１コンテンツのみを視聴することができる。
また、受信部６０１より受信したＩＤデータが、自身のＩＤデータと合致している場合には、制御部６０５は、そのＩＤデータの次に受信された音声信号を音声復号部６１０に出力する。それにより、第１コンテンツの音声信号のみが音声復号部６１０で伸張復号され、ヘッドホン６１１で音に変換されて出力される。
シャッター式眼鏡６００ｂも、シャッター式眼鏡６００ａと同様に動作する。それにより、シャッター式眼鏡６００ｂを装着した視聴者は、第２コンテンツのみを視聴することができる。
【００４８】
このように画像表示装置とシャッター式眼鏡が動作することにより、シャッター式眼鏡毎に異なるコンテンツを視聴することが可能となり、複数人で複数のコンテンツを同時に視聴することが可能となる。
なお、本実施例では、実施例１と同様に、シャッターの開閉を切り替えている期間に望ましくない画像がレンズを透過するのを抑制するために、第１コンテンツのフレームと第２コンテンツのフレームの間に黒画像を表示する。
【００４９】
次に、外光評価値を算出し、画質調整処理を行う際の、本実施例に係る視聴システムの動作について、図１１のフローチャートを用いて説明する。
図１１は、画像表示装置５００の制御部５０８の動作フローチャートである。
このフローは、制御部５０８のメインループの一部であっても良いし、タイマー割り込みなどで呼び出されても良い。
ステップＳ３０１では、制御部５０８が、シャッター式眼鏡６００ａに対し外光評価値要求を送信するよう、送信部５０７を制御する。
ステップＳ３０２では、制御部５０８が、シャッター式眼鏡６００ａから送信され、受信部５０５で受信された外光評価値を取得する。この外光評価値には、シャッター式眼鏡６００ａのＩＤデータが付加されている。
ステップＳ３０３では、制御部５０８が、Ｓ３０２で取得した外光評価値が基準値より大きいか否かを判定する。
【００５０】
外光評価値が基準値より大きい場合には（Ｓ３０３：ＹＥＳ）、ステップＳ３０４で、制御部５０８が、該外光評価値に付加されていたＩＤデータから画像信号７００ａ（第１コンテンツ）用の設定値（初期値）を判断し、該初期値に対し、
（ＭＡＸ値−初期値）×（外光評価値−基準値）÷（１−基準値）
を加算する。それにより、画像信号７００ａ用の設定値として初期値よりも視認性を高める設定値が設定される。その結果、画像時分割出力処理部５０３では、画像信号７００ａに対して視認性を高める画質調整処理が施される。
外光評価値が基準値以下の場合には（Ｓ３０３：ＮＯ）、ステップＳ３０５で、制御部５０８が、該外光評価値に付加されていたＩＤデータから画像信号７００ａ（第１コンテンツ）用の設定値（初期値）を判断し、該初期値に対し、
初期値−初期値×外光評価値÷基準値
を減算する。それにより、画像信号７００ａ用の設定値として初期値よりも明るさを暗くする設定値が設定される。その結果、画像時分割出力処理部５０３では、画像信号７００ａに対して明るさを暗くする画質調整処理が施される。
【００５１】
ステップＳ３０６では、制御部５０８が、シャッター式眼鏡６００ｂに対し外光評価値要求を送信するよう、送信部５０７を制御する。
ステップＳ３０７では、制御部５０８が、シャッター式眼鏡６００ｂから送信され、受信部５０５で受信された外光評価値を取得する。この外光評価値には、シャッター式眼鏡６００ｂのＩＤデータが付加されている。
ステップＳ３０８〜ステップＳ３１０では、ステップＳ３０７で取得した外光評価値を用いて、ステップＳ３０３〜ステップＳ３０５と同様の処理が行われ、画像信号７００ｂ
用の設定値が設定され、処理が終了される。
【００５２】
外光評価値を算出する際の、シャッター式眼鏡６００ａ，６００ｂの制御部６０５の動作は実施例１と同様のため、説明は省略する。
シャッター式眼鏡の信号処理部６０８の動作についても、実施例１と同様のため、説明は省略する。
【００５３】
以上述べたように、本実施例によれば、受信された外光評価値に基づいて、入力された複数の画像信号のうち、該外光評価値を算出した撮像装置が設けられている眼鏡を用いて視聴される画像の信号に、画質調整処理が施される。それにより、複数の画像を表示し、複数の視聴者が眼鏡を用いてそれぞれ異なる画像を視聴する視聴システムにおいて、それぞれの画像に対して適切な画質調整処理を施すことが可能となる。
【符号の説明】
【００５４】
１００  画像表示装置
１０２  画像出力制御部
１０３  表示部
１０９  受信部
２００  シャッター式眼鏡
２０２  送信部
２０４  撮像部
２０８  信号処理部
【図１】
2013048358.tif 000003
【図２】
2013048358.tif 000004
【図３】
2013048358.tif 000005
【図４】
2013048358.tif 000006
【図５】
2013048358.tif 000007
【図６】
2013048358.tif 000008
【図７】
2013048358.tif 000009
【図８】
2013048358.tif 000010
【図９】
2013048358.tif 000011
【図１０】
2013048358.tif 000012
【図１１】
2013048358.tif 000013